(57)【要約】【課題】  接触片と導体接続片とを板金製の接片部材に一体に具備させた同軸ケーブル用コネクタにおいて、接片部材の全体を収容する絶縁体ボディの高さ寸法を、接触片の高さ寸法に見合う寸法にまで短くして当該コネクタの背低化を図る。【解決手段】  接触片２と導体接続片３とを一体に有する板金製の接片部材１を絶縁体ボディ５に収容する。導体接続片３の全高部分を、接触片２の側部であってその高さ範囲内に配備する。導体接続片３と接触片２の接片部２４との間に隙間を形成する。接片部材１を、絶縁体ボディ５の第１受面５８と第２受面５９とにより挟んでその絶縁体ボディ５に固定する。【選択図】        図１
2005032620.tif 000002
【特許請求の範囲】
【請求項１】
相手方コネクタの端子が高さ方向で嵌脱される接触片と同軸ケーブルの中心導体が半田付け接続された導体接続片とを一体に有する板金製の接片部材が、上記同軸ケーブルを外部に導出しているケーブル引出口と上記接触片が臨む開口とを有する絶縁体ボディに収容されている同軸ケーブル用コネクタにおいて、
上記導体接続片の全高部分を、上記接触片の側部であってその接触片と上記ケーブル引出口との相互間箇所で上記接触片の高さ範囲内に配備したことを特徴とする同軸ケーブル用コネクタ。
【請求項２】
上記接触片が、板状部とその板状部に屈曲して連設された接片部とを有し、上記導体接続片が上記板状部に屈曲して連設されている請求項１に記載した同軸ケーブル用コネクタ。
【請求項３】
上記導体接続片は、半田溜まり用の空所を形成する谷形に折曲形成されてその先端縁が上記ケーブル引出口に臨み、かつ、その先端縁に、上記空所に挿入されてその空所を埋める半田に結合された上記中心導体を支える受部が備わっている請求項２に記載した同軸ケーブル用コネクタ。
【請求項４】
上記受部が、上記導体接続片の先端縁に形成された凹入部又は上記導体接続片に具備された孔部でなる請求項３に記載した同軸ケーブル用コネクタ。
【請求項５】
上記板状部の外縁の２箇所のそれぞれに２つの上記接片部が屈曲して連設されていて、上記導体接続片が、上記板状部の外縁の他の箇所に屈曲して連設されて２つの上記接片部との間に隙間を保持して配備されている請求項３又は請求項４に記載した同軸ケーブル用コネクタ。
【請求項６】
上記接片部材は、上記絶縁体ボディに具備されて上記板状部に重なり合った第１受面と上記絶縁体ボディに具備されて谷形の上記導体接続片の谷底部に重なり合った第２受面とにより挟まれてその絶縁体ボディに固定されている請求項５に記載した同軸ケーブル用コネクタ。
【発明の詳細な説明】
【技術分野】
【０００１】
本発明は、同軸ケーブル用コネクタ、特に、相手方コネクタの端子が高さ方向で嵌脱される接触片に、同軸ケーブルの中心導体が半田付け接続された導体接続片が一体に備わっている板金製の接片部材を備えていて、その接片部材が絶縁体ボディに収容されている同軸ケーブル用コネクタに関する。
【背景技術】
【０００２】
この種の同軸コネクタの従来例として、センターソケットと称された接触片の一端部に相手方コネクタの結合部としての接点を具備させ、その接触片の他端部に、同軸ケーブルの中心導体を圧着して接続した門形ないし筒形の中心導体接続部を具備させたＬ型同軸コネクタがあった（たとえば、特許文献１参照）。このものでは、接触片と中心導体接続部とが接触片の高さ方向に並んでいる。また、他の従来例として、接触部と称された接触片の一端部に接点を具備させ、その接触片の他端部に、同軸ケーブルの中心導体を半田付け接続した板状の結線部を具備させたものものがあった（たとえば、特許文献２参照）。このものでも、接触片と結線部と称された導体接続片とが接触片の高さ方向に並んでいて、同軸ケーブルの中心導体を導体接続片に半田付けした状態では、導体接続片の上に半田が盛り上がるようになっている。また、このものでは、相手方コネクタの対応接触部を受け入れる環状空間をケーブル収容部に連通させるという対策を講じることによって、Ｌ型同軸コネクタの高さ方向での小形化（背低化）を可能としながら、相手方コネクタとの有効嵌合長を長くするという対策が講じられている。
【０００３】
【特許文献１】特開平５−２８３１２９号公報
【特許文献２】特開２００１−４３９３９号公報
【発明の開示】
【発明が解決しようとする課題】
【０００４】
しかしながら、上記した２つの従来例のいずれにおいても、同軸ケーブルの中心導体を接続した中心導体接続部や導体接続片（これらを総称して「導体接続片」という）が接触片に連設されていて、しかも、その導体接続片が接触片に対してその高さ方向に並べて配備されているために、それらの接触片及び導体接続片の全体を収容する絶縁体ボディの高さ寸法を、接触片と導体接続片とを合わせた高さ寸法よりも短くすることによって同軸ケーブル用コネクタの背低化を図ることができなかった。
【０００５】
一方、導体接続片に同軸ケーブルの中心導体を半田付け接続するものにおいて、特許文献２に記載されているように、その導体接続片が平板状に形成されていて、その導体接続片が接触片に屈曲して連設されている構成のものでは、同軸ケーブルの中心導体を半田付けする際に、半田が接触片の屈曲部を越えてその接触片の領域にまで流れ込んで接触片の弾性を損なうことがあるという問題があった。また、中心導体を導体接続片に結合するのに十分な量の半田をその導体接続片に供給することが困難になって中心導体と導体接続片との接続安定性が損なわれるということを回避するためには、板状の導体接続片の面積を大きくすることと併せてその導体接続片に重ね合わされる中心導体の長さを長くした上で両者を半田付けするということが必要になるので、それだけ半田付け箇所の必要スペースが拡がって同軸ケーブル用コネクタの小形化を図りにくくなるという問題があった。
【０００６】
本発明は以上の状況や問題に鑑みてなされたものであり、接触片と導体接続片とを板金製の接片部材に一体に具備させることを基本とし、接触片に対する導体接続片の配備箇所に工夫を講じることによって、その接片部材の全体を収容する絶縁体ボディの高さ寸法を、接触片の高さ寸法に見合う寸法にまで短くすることができるようにして当該同軸ケーブル用コネクタの背低化を可能とする同軸ケーブル用コネクタを提供することを目的とする。
【０００７】
また、本発明は、導体接続片と同軸ケーブルの中心導体との半田付け箇所の必要スペースを小さく抑え得るものでありながら、十分な量の半田をその半田付け箇所に供給することができるような工夫を講じることによって、導体接続片と中心導体との接続安定性を高めることのできる同軸ケーブル用コネクタを提供することを目的とする。
【０００８】
さらに、本発明は、同軸ケーブルの中心導体を導体接続片に半田付けする際の半田付け作業性と接続安定性の両方を向上させることのできる同軸ケーブル用コネクタを提供することを目的とする。
【０００９】
さらに、本発明は、導体接続線と同軸ケーブルの中心導体とを半田付けする際に、半田が接触片の領域に流れ込んでその接触片の弾性性能などを損なうというおそれのない同軸ケーブル用コネクタを提供することを目的とする。
【００１０】
さらに、本発明は、接触片と同軸ケーブルの中心導体が半田付け接続された導体接続片とを備える接片部材を、余分な部品を用いることなく絶縁体ボディに固定することのできる同軸ケーブル用コネクタを提供することを目的とする。
【課題を解決するための手段】
【００１１】
本発明に係る同軸ケーブル用コネクタは、相手方コネクタの端子が高さ方向で嵌脱される接触片と同軸ケーブルの中心導体が半田付け接続された導体接続片とを一体に有する板金製の接片部材が、上記同軸ケーブルを外部に導出しているケーブル引出口と上記接触片が臨む開口とを有する絶縁体ボディに収容されている。そして、上記導体接続片の全高部分を、上記接触片の側部であってその接触片と上記ケーブル引出口との相互間箇所で上記接触片の高さ範囲内に配備してある。
【００１２】
この発明によれば、接触片と導体接続片とが接触片の高さ方向に並んでおらず、導体接続片が接触片の側部に配備されていて、なおかつ、その導体接続片の全高部分が接触片の高さ範囲内に配備されているので、接触片と導体接続片とを一体に具備する接片部材の全体を収容する絶縁体ボディの高さ寸法を、接触片の高さ寸法に見合う寸法にまで短くすることが可能になり、そのことが、同軸ケーブル用コネクタの背低化を図ることに役立つ。また、導体接続片が接触片と絶縁体ボディのケーブル引出口との相互間箇所に配備されているので、絶縁体ボディのケーブル引出口に配備した同軸ケーブルの中心導体を折り曲げて引き廻すことなく導体接続片に半田付け接続することが可能になるという利点がある。
【００１３】
本発明では、上記接触片が、板状部とその板状部に屈曲して連設された接片部とを有し、上記導体接続片が上記板状部に屈曲して連設されていることが望ましい。これによれば、導体接続片の全高部分を接触片の高さ範囲内に容易に配備することが可能になる。
【００１４】
本発明において、上記導体接続片は、半田溜まり用の空所を形成する谷形に折曲形成されてその先端縁が上記ケーブル引出口に臨み、かつ、その先端縁に、上記空所に挿入されてその空所を埋める半田に結合された上記中心導体を支える受部が備わっていることが望ましく、その場合には、受部を、導体接続片の先端縁に形成された凹入部又は上記導体接続片に具備された孔部によって形成することが望ましい。これによれば、導体接続片を谷形としたことによって、その空所に十分な量の半田を供給することが可能になり、しかも、その空所に供給された十分な量の半田によって同軸ケーブルの中心導体が導体接続片に接続されるので、中心導体の長さを短くしても導体接続片と中心導体との接続安定性が高まる。また、導体接続片の先端縁の受部が中心導体を支えるので、その受部に中心導体を載架した状態で半田付け作業を行うことができるようになり、そのことが、半田付け作業性と接続安定性の両方を向上させることに役立つ。さらに、受部を凹入部又は孔部によって形成しておくと、その受部に支えられた中心導体が空所を埋める半田に確実に埋入された状態になるので、導体接続片と中心導体との接続安定性がいっそう向上する。
【００１５】
本発明では、上記板状部の外縁の２箇所のそれぞれに２つの上記接片部が屈曲して連設されていて、上記導体接続片が、上記板状部の外縁の他の箇所に屈曲して連設されて２つの上記接片部との間に隙間を保持して配備されていることが望ましい。これによれば、板状部に対する導体接続片の連設箇所が、板状部に対する２つの接片部の連設箇所とは別の箇所になっていて、しかも、導体接続片と２つの接片部との間に隙間が保持されているので、谷形の導体接続片に供給した半田が接触片の領域（板状部と接片部）に流れ込んで接片部の弾性性能を損なうという事態の起こる余地がない。
【００１６】
本発明において、上記接片部材は、上記絶縁体ボディに具備されて上記板状部に重なり合った第１受面と上記絶縁体ボディに具備されて谷形の上記導体接続片の谷底部に重なり合った第２受面とにより挟まれてその絶縁体ボディに固定されている、という構成を採用することが可能であり、これによれば、第１受面と第２受面とが共働して接片部材を固定する作用を発揮するので、接片部材を絶縁体ボディに固定するための余分な部品を用いる必要がなく、しかも、簡単な構成で接片部材を絶縁体ボディに固定することが可能になる。
【発明の効果】
【００１７】
本発明に係る同軸ケーブル用コネクタによれば、接触片の側部に導体接続片を配備したので、接触片と導体接続片とを一体に有する板金製の接片部材の高さ寸法を短くすることによって、その接片部材の全体を収容する絶縁体ボディの高さ寸法を、接触片の高さ寸法に見合う寸法にまで短くすることができるようになる。そのため、接触片と導体接続片とを接触片の高さ方向に並べて配備してある従来例の同軸ケーブル用コネクタよりも背低化された同軸ケーブル用コネクタを提供することが可能になる。
【００１８】
また、導体接続片を谷形に形成したものでは、その導体接続片と同軸ケーブルの中心導体との半田付け箇所の必要スペースを小さく抑え得るものでありながら、十分な量の半田をその半田付け箇所に供給することができるようになるので、半田付けされる中心導体の長さを短くしても導体接続片と中心導体との接続安定性が高まり、併せて、接片部材の全体の小形化、ひいては同軸ケーブル用コネクタの全体の小形化を容易に促進することが可能になるという卓効がある。さらに、導体接続片の先端部に凹入部や孔部などでなる受部を形成したものでは、同軸ケーブルの中心導体を導体接続片に結合する際の半田付け作業性と接続安定性の両方が向上する。
【００１９】
さらに、接触片の接片部と導体接続片との間に隙間を保持させたものでは、導体接続片と同軸ケーブルの中心導体とを半田付けする際に、半田が接触片の領域に流れ込んでその接触片の弾性性能などを損なうおそれがなくなるので、不良品の発生率が低下して同軸ケーブル用コネクタの生産効率が向上し、併せて、接触片の弾性性能が十分に発揮されて相手方コネクタの端子との接触安定性が良好に保たれる。
【００２０】
さらに、接触片と同軸ケーブルの中心導体が半田付け接続された導体接続片とを備える接片部材を、余分な部品を用いることなく絶縁体ボディに固定することのできるために、同軸ケーブル用コネクタの部品コストを安く抑えやすいという効果がある。
【発明を実施するための最良の形態】
【００２１】
図１は本発明に係る同軸ケーブル用コネクタＡとその相手方コネクタＢとを一部破断して示した側面図、図２は半田付け作業手順を説明するための概略斜視図、図３は絶縁体ボディ５の平面図、図４は図３のＩＶ−ＩＶ線に沿う部分の断面図である。
【００２２】
図１のように、この同軸ケーブル用コネクタＡは、板金製の接片部材１と、この接片部材１を収容している絶縁体ボディ５と、絶縁体ボディ５を覆うシェル７とを備えていて、同軸ケーブル１００の端部で露出した中心導体１１０が接片部材１に半田付け接続されていると共に、その同軸ケーブル１００がシェル７に一体に具備された挟持片７２によって保持されている。
【００２３】
図２のように、接片部材１は、略矩形の板状部２２と、その板状部１２の外縁の互いに反対側に位置している左右の辺２３，２３のそれぞれに屈曲して連設された対称形状の左右一対の接片部２４，２４と、板状部２２の外縁の他の１つの後側の辺２５に屈曲して連設された導体接続片３とを一体に備えていて、板状部２２と左右一対の接片部２４，２４とによって接触片２が形成されている。この接片部材１において、一対の接片部２４，２４は、それらの先端部近傍箇所に内側へ膨らみ出た接点部２６，２６を有していると共に、それらの接片部２４，２４の先端部相互間の空間に対して相手方コネクタＢに備わっているピン形端子８が挿抜されるようになっている。これに対し、導体接続片３は谷形に折曲形成されていて、谷形に形作られることによって形成されている空所が半田溜まり用空所３３とされている。また、この導体接続片３の先端縁３１の幅方向中央部に凹入部でなる受部３２が形成されている。
【００２４】
このように形成されている図例の接片部材１において、板状部２２とその板状部２２に屈曲して連設された左右一対の接片部２４，２４とでなる接触片２の側部、具体的には後側に導体接続片３が配備されていて、しかも、導体接続片３の全高部分が接触片２の高さ範囲内に配備されている。言い換えると、導体接続片３は接触片２の上方にも下方にも突き出ていない。したがって、接片部材１の全高が、導体接続片３の高さ寸法に影響されず、板状部２２と一対の接片部２４，２４とでなる接触片２の高さによってのみ定まっている。このことにより、接片部材１の高さ方向Ｈの寸法を小さくしてその小形化を図ることが可能になる。
【００２５】
導体接続片３と同軸ケーブル１００の中心導体１１０とを半田付け接続するための半田付け作業は、図２のように、同軸ケーブル１００の端部にむき出した中心導体１１０を、導体接続片３の凹入部でなる受部３２に嵌合して載架することによってその中心導体１１０を半田溜まり用空所３３に挿入し、その状態で半田溜まり用空所３３に半田を供給することにより、図１に示したように、その中心導体１１０を半田溜まり用空所３３を埋めた半田３４に結合する。このような半田付け作業を行うと、半田溜まり用空所３３を埋める十分な量の半田３４に中心導体１１０が埋入状態で確実に結合し、しかも、半田付け時には、中心導体１１０が受部３２によって動かないように半田溜まり用空所３３内で位置決めされるために半田付けが確実に行われる。そのため、半田溜まり用空所３３に挿入されている中心導体１１０の長さが短くても、導体接続片３と中心導体１１０との接続安定性が高まるようになる。したがって、谷形の導体接続片３の拡がり幅（基部と先端部との対向幅）を狭くすることによって接触片２からの導体接続片３の出幅を短く抑えることが可能になり、そのことが、接片部材１の前後方向Ｆの幅寸法を短くしてその小形化することに役立つ。なお、図例では、谷形の導体接続片３において、受部３２に載架した中心導体１１０の先端をその導体接続片３の基部付近に突き当てることによって、半田溜まり用空所３３を埋める半田３４に結合される中心導体１１０の長さを一定にしてあるので、半田付け接続状態にばらつきが生じるのを防いでその接続安定性を高めることができるという利点がある。
【００２６】
図３又は図４に示した絶縁体ボディ５は合成樹脂一体成型体でなり、正面視円形の主部５１に、円形の開口５２と幅広凹入部５３と幅狭凹入部５４とが備わっていると共に、各凹入部５３，５４を挟む左右両側に側壁部５５，５５が立ち上げられている。さらに、主部５１の前端部上面に押え片５６が立ち上げられているのに対し、主部５１の後端部上面５７と左右の側壁部５５，５５とによって囲まれる空所がケーブル引出口５７として形成されている。そして、図２で説明した同軸ケーブル１００の中心導体１１０を半田付け接続した接片部材１を、幅広凹入部５３と幅狭凹入部５４とに嵌め込むことによって、一対の接片部２４，２４を幅広凹入部５３に、導体接続片３を幅狭凹入部５４にそれぞれ配備すると共に、一対の接片部２４，２４を開口５２に臨ませ、さらに、導体接続片３の先端部を絶縁体ボディ５のケーブル引出口５７に臨ませてある。また、同軸ケーブル１００から露出された誘電体１２０を上記ケーブル引出口５７に配備してそのケーブル引出口５７から同軸ケーブル１００を外部へ引き出している。
【００２７】
絶縁体ボディ５の押え片５６は、その基部５６ａのところで後方へ折り曲げられる。そして、押え片５６をそのように折り曲げた状態で、図１のようにシェル７に収容される。同図のように、シェル７は、絶縁体ボディ５を収容する筒状部７１と、この筒状部７１の周方向１箇所から延び出たカバー部７２とを有していて、筒状部７１に絶縁体ボディ５を収容させた後、カバー部７２をその基部で後方へ折り曲げることによって、そのカバー部７２を絶縁体ボディ５の押え片５６と同軸ケーブル１００とに重ね合わせ、併せて、そのカバー部７２に一体に設けられている上記挟持片７２によって同軸ケーブル１００を挟着させてある。
【００２８】
ところで、この実施形態では、図１のようにシェル７に絶縁体ボディ５を取り付けたときに、絶縁体ボディ５の押え片５６が接触片２の板状部２２に重なり合い、絶縁体ボディ５の主部５１の開口５２の口縁部が導体接続片３の谷底部３４に重なり合うように形成してあると共に、上記押え片５６の上記板状部２２との重なり面を第１受面５８とし、導体接続片３の谷底部３４との重なり面を第２受面５９として形成してある。このようにしておくと、第１受面５８と第２受面５９との共働によって、接片部材１が絶縁体ボディ５に挟圧状態で動かないように固定されるので、接片部材１を絶縁体ボディ５に固定するのに余分な部品を用いる必要がなくなるという利点がある。
【００２９】
以上説明した同軸ケーブル用コネクタＡにあっては、絶縁体ボディ５の開口５２から左右一対の接片部２４，２４の相互間に相手方コネクタＢのピン形端子８が挿入されて、そのピン形端子８がそれらの接片部２４，２４の各接点２６，２６に弾接して電気的接続がなされる。
【００３０】
この実施形態では、導体接続片３の受部３２を凹入部によって形成してあるけれども、この点は、その受部３２を孔部によって形成することも可能である。
【産業上の利用可能性】
【００３１】
本発明に係る同軸ケーブル用コネクタは、可搬式オーディオ映像機器といった電気電子機器の小形電源コネクタとして利用することが可能である。
【図面の簡単な説明】
【００３２】
【図１】本発明に係る同軸ケーブル用コネクタとその相手方コネクタとを一部破断して示した側面図である。
【図２】半田付け作業手順を説明するための概略斜視図である。
【図３】絶縁体ボディの平面図である。
【図４】図３のＩＶ−ＩＶ線に沿う部分の断面図である。
【符号の説明】
【００３３】
Ａ  同軸ケーブル用コネクタ
Ｂ  相手方コネクタ
Ｈ  高さ方向
１  接片部材
２  接触片
３  導体接続片
５  絶縁体ボディ
８  相手方コネクタの端子（ピン端子）
２２  板状部
２４  接片部
３２  受部
３３  半田溜まり用空所
５２  開口
５７  ケーブル引出口
５８  第１受面
５９  第２受面
１００  同軸ケーブル
１１０  中心導体
【図１】
2005032620.tif 000003
【図２】
2005032620.tif 000004
【図３】
2005032620.tif 000005
【図４】
2005032620.tif 000006